(57)【特許請求の範囲】
【請求項１】
作業者が背負う作業機本体部（１）の上側に、背負バンド（２）の上端を着脱可能とするための軸部（５）を備えた背負式作業機（１００）を運搬するための運搬装置（８）において、
前記作業機本体部（１）を載置する台座（１１）及び車輪（１２）を有する台車ユニット（１０）と、
前記台車ユニット（１０）とは別体であって、運搬時に運搬者が把持するための把持部（１３ｂ）、前記作業機本体部（１）の前記軸部（５）に着脱可能な取付部（１４）を備えたハンドルユニット（９）とを具備し、
前記取付部（１４）は、前記軸部（５）に引っ掛けるツメ部（１４ｃ）と、前記軸部（５）の軸線を挟む両側で前記作業機本体部（１）の外面に当接し前記ツメ部（１４ｃ）が前記軸部（５）回りに回動するのを阻止する当接部（１４ａ，１４ｂ）とを備えたことを特徴とする背負式作業機（１００）の運搬装置（８）。
【請求項２】
前記取付部（１４）はめねじ部（１４ｄ）を備え、
前記めねじ部（１４ｄ）に螺合可能なボルト（１７）を前記めねじ部（１４ｄ）にねじ込み、当該めねじ部（１４ｄ）の終端から突出した前記ボルト（１７）の先端により、前記ツメ部（１４ｃ）が前記軸部（５）から外れるのが防止されることを特徴とする請求項１記載の背負式作業機（１００）の運搬装置（８）。
【発明の詳細な説明】
【技術分野】
【０００１】
本発明は、背負式作業機の運搬装置に関する。
【背景技術】
【０００２】
従来より、ハンドル、載置台、車輪等が一体となった背負式作業機の運搬用のカートは重量が重いという点に着目し、背負式作業機にハンドル及び車輪を別個に取り付ける構造の背負式作業機の運搬装置が開示されている（例えば、特許文献１参照）。この背負式作業機の運搬装置は、背負式作業機を背負うための背負バンドが取り付けられる取付部を利用したものであり、背負式作業機上部の取付部にハンドルを着脱可能とし、背負式作業機下部の取付部に車輪を着脱可能としたものである。
【先行技術文献】
【特許文献】
【０００３】
【特許文献１】特許第３８２１５４７号公報
【発明の概要】
【発明が解決しようとする課題】
【０００４】
しかしながら、特許文献１に記載されている背負式作業機の運搬装置では、背負式作業機に取り付けられたハンドルや車輪のがたつきにより安定感が損なわれ、運搬しにくいという問題点があった。
【０００５】
本発明は、このような問題点を解決するためになされたものであり、背負式作業機に取り付けられたハンドルや車輪のがたつきが少なく運搬しやすい背負式作業機の運搬装置の提供を目的とする。
【課題を解決するための手段】
【０００６】
本発明による背負式作業機の運搬装置（８）は、作業者が背負う作業機本体部（１）の上側に、背負バンド（２）の上端を着脱可能とするための軸部（５）を備えた背負式作業機（１００）を運搬するための運搬装置（８）において、作業機本体部（１）を載置する台座（１１）及び車輪（１２）を有する台車ユニット（１０）と、台車ユニット（１０）とは別体であって、運搬時に運搬者が把持するための把持部（１３ｂ）、作業機本体部（１）の軸部（５）に着脱可能な取付部（１４）を備えたハンドルユニット（９）とを具備し、取付部（１４）は、軸部（５）に引っ掛けるツメ部（１４ｃ）と、軸部（５）の軸線を挟む両側で作業機本体部（１）の外面に当接しツメ部（１４ｃ）が軸部（５）回りに回動するのを阻止する当接部（１４ａ，１４ｂ）とを備えたことを特徴とする。
【０００７】
このような背負式作業機（１００）の運搬装置（８）によれば、作業機本体部（１）が台座（１１）及び車輪（１２）の一体となった台車ユニット（１０）に載置されるため、個々の車輪（１２）が作業機本体部（１）に別個に取り付けられる従来技術に比べ車輪（１２）のがたつきが少なくなる。また、ハンドルユニット（９）の取付部（１４）が、軸部（５）に引っ掛けるツメ部（１４ｃ）及びツメ部（１４ｃ）の軸部（５）回りの回動を阻止する当接部（１４ａ，１４ｂ）を備えているため、ツメ部（１４ｃ）を軸部（５）に引っ掛ける簡単な取付作業により、ハンドルユニット（９）をがたつき少なく作業機本体部（１）に取り付けることができる。
【０００８】
ここで、取付部（１４）はめねじ部（１４ｄ）を備え、めねじ部（１４ｄ）に螺合可能なボルト（１７）をめねじ部（１４ｄ）にねじ込み、当該めねじ部（１４ｄ）の終端から突出したボルト（１７）の先端により、ツメ部（１４ｃ）が軸部（５）から外れるのが防止される構成であると、ツメ部（１４ｃ）を軸部（５）に引っ掛けた後にボルト（１７）をねじ込む簡単な作業により、取付部（１４）が作業機本体部（１）から外れるのを防止することができる。
【発明の効果】
【０００９】
このように本発明によれば、ハンドルや車輪のがたつきが少なく運搬しやすい背負式作業機の運搬装置を提供することができる。
【図面の簡単な説明】
【００１０】
【図１】本発明の実施形態に係る運搬装置によって運搬される背負式作業機を示す前方斜視図である。
【図２】本発明の実施形態に係る運搬装置を背負式作業機に取り付けた状態を示す前方斜視図である。
【図３】図２中のハンドルユニットを取り外した状態を示す前方斜視図である。
【図４】図２中のハンドルユニットを示す後方斜視図である。
【図５】図２中のハンドルユニットの取付部の断面図である。
【図６】図２中の台車ユニットを示す後方斜視図である。
【図７】図２中の台車ユニットの取付部を拡大した後方斜視図である。
【発明を実施するための形態】
【００１１】
以下、本発明に係る背負式作業機の好適な実施形態について添付図面を参照しながら説明する。以下の説明において、上下、前後、左右の語は、背負式作業機を背負った作業者を基準とした方向を表すものとする。
【００１２】
図１は、本発明の実施形態に係る運搬装置によって運搬される背負式作業機を示す前方斜視図、図２は、本発明の実施形態に係る運搬装置を背負式作業機に取り付けた状態を示す前方斜視図、図３は、図２中のハンドルユニットを取り外した状態を示す前方斜視図、図４は、図２中のハンドルユニットを示す後方斜視図、図５は、図２中のハンドルユニットの取付部の断面図、図６は、図２中の台車ユニットを示す後方斜視図、図７は、図２中の台車ユニットの取付部を拡大した後方斜視図であり、本実施形態では背負式作業機を薬剤等の散布に用いる背負式動力噴霧機として説明する。
【００１３】
図１に示すように、本実施形態に係る運搬装置によって運搬される背負式動力噴霧機１００は、動力源を含む作業機本体部１と、作業者が作業機本体部１を背負うための一対の背負バンド２，２とを備えている。また、この背負式動力噴霧機１００は、作業機本体部１から送り出された液体や粉体からなる薬剤（ここでは薬液）を作業者の手元まで伝送する噴霧ホースと、噴霧ホースの端部に設けられた噴霧ノズルとを備えている。なお、ここでは噴霧ホース及び噴霧ノズルは取り外されている。
【００１４】
作業機本体部１は、薬剤を噴霧するためのポンプ等を搭載した架台３と、この架台３の上部に載置され、噴霧すべき薬剤を収容するタンク４とを備えている。
【００１５】
一対の背負バンド２，２の上端部は、タンク４の前側（図示左側）の上端部に左右対称に設けられた一対の上側バンド取付軸部５，５に各々着脱自在に係合して連結され、一対の背負バンド２，２の下端部は、架台３の前側の下端部に左右対称に設けられた一対の下側バンド取付軸部６，６に各々着脱自在に係合して連結されている。そして、一対の背負バンド２，２及び作業機本体部１のなす一対のループに作業者が両肩を通し、作業機本体部１を背負うことが可能となっている。なお、各々の上側バンド取付軸部５は、軸心が左右に延びた円筒体であり、タンク４の前側から後側へ向かってへこんだ凹部７，７の側面同士を繋ぐように設けられている（図５参照）。
【００１６】
図２に示すように、本実施形態に係る運搬装置８は、台座１１に左右一対の車輪１２，１２が設けられた台車ユニット１０と、ハンドルユニット９とを備えており、台車ユニット１０に背負バンド２，２を取り外した作業機本体部１が載置され、この作業機本体部１の前側の上端部にハンドルユニット９が取り付けられる。そして、運搬者がハンドルユニット９を把持し、台座１１の後側（図示左側）を浮かせて車輪１２，１２のみを接地させた状態で作業機本体部１を運搬する。
【００１７】
ここで、ハンドルユニット９の詳細を説明する。図３に示すように、ハンドルユニット９は、パイプ材がロの字形状のループをなすように形成されたハンドル本体１３を備えており、このハンドル本体１３の下側の左右方向に延びる一辺が作業機本体部１に取り付けられる取付辺１３ａをなしている。この取付辺１３ａには、上記一対の上側バンド取付軸部５，５に対応して一対の取付部１４，１４が並設されており、各々の取付部１４が背負バンド２の代わりに上側バンド取付軸部５に取り付けられる。また、ハンドルユニット９には、一対の取付部１４，１４の外れを防止するための２個のボルト１７が用意される（図５参照）。
【００１８】
各々の取付部１４が、各々の上側バンド取付軸部５に取り付けられると、取付辺１３ａが左右方向を向き、ハンドル本体１３は取付辺１３ａを支軸として作業機本体部１の前方且つ上方に傾斜した状態となる。そして、取付辺１３ａと対向する上側の左右方向に延びた辺が、運転者の把持する把持部１３ｂを構成する。
【００１９】
図４に示すように、取付部１４の後側（図４における手前側）の上部及び下部には、上記タンク４の前側と当接する上側当接部１４ａ及び下側当接部１４ｂが設けられている。そして、上側当接部１４ａと下側当接部１４ｂとの間には、上記上側バンド取付軸部５に上側から引っ掛けるツメ部１４ｃが設けられている。ツメ部１４ｃは、上側当接部１４ａの下端部に連設されて下方へ湾曲しながら後方側へ突出し、上記凹部７内で上方から上側バンド取付軸部５に引っ掛けられるフック形状をしている。
【００２０】
また、図３及び図５に示すように、ツメ部１４ｃと下側当接部１４ｂとの間には、前方側に突出するめねじ部１４ｄが形成されている。このめねじ部１４ｄは、前側から後側に貫通するめねじを有し、当該めねじに対して上記ボルト１７が螺合可能とされている。
【００２１】
図５に示すように、ツメ部１４ｃを上側バンド取付軸部５に引っ掛けると、上側当接部１４ａが上側バンド取付軸部５の上方でタンク４の前側に当接し、下側当接部１４ｂが上側バンド取付軸部５の下方でタンク４の前側に当接する。即ち、上側当接部１４ａ及び下側当接部１４ｂが、上側バンド取付軸部５の軸心を挟む両側で作業機本体部１の外面に当接し、ツメ部１４ｃが上側バンド取付軸部５回りに回動するのを阻止する。
【００２２】
このように取付部１４を上側バンド取付軸部５に取り付けた後に、めねじ部１４ｄのめねじにボルト１７をねじ込むと、ボルト１７の先端がめねじ部１４ｄの終端から突出し、上側バンド取付軸部５の下方近傍に突出する。そして、ツメ部１４ｃが上側バンド取付軸部５に対して上方に動こうとすると、ボルト１７の先端が上側バンド取付軸部５に引っ掛かり、ツメ部１４ｃが上側バンド取付軸部５から外れるのが防止される。
【００２３】
続いて、台車ユニット１０の詳細を説明する。図６に示すように、台車ユニット１０の台座１１は、平面視においてコの字形状をなすように成形されたパイプ材からなり、当該コの字形状の開口部を前側にし、当該コの字形状の対向する２辺に作業機本体部１が載置される。台座１１の先端部の左右外側には、軸心が左右方向に延びる一対の車輪１２，１２が回転自在に取り付けられている。また、台座１１の後端部は、下方に曲げられて接地脚１１ａを構成しており（図２参照）、台座１１の後端側の左右方向に延びる辺１１ｄが一対の車輪１２，１２と共に接地するようになっている。さらに、台座１１上部の接地脚１１ａよりも先端側の範囲には、左右に延びる２枚の載置板１１ｃ，１１ｃが前後方向に並設され、台座１１に溶接等の手段で接合されており、各載置板１１ｃの両端部にはボルト締結用の下側ボルト孔１１ｅが形成されている。
【００２４】
図７に示すように、作業機本体部１は２枚の載置板１１ｃ，１１ｃの上に載置される。上記架台３の下部には、載置板１１ｃの各々の下側ボルト孔１１ｅに対応する上側ボルト孔３ｅが各々形成されている。そして、各下側ボルト孔１１ｅ及び各上側ボルト孔３ｅに通されたボルト１５をナット１６により締結することで作業機本体部１と台車ユニット１０とが固定される。
【００２５】
以上のように構成された運搬装置８によれば、背負式動力噴霧機１００が台座１１及び一対の車輪１２，１２の一体となった台車ユニット１０に載置されるため、個々の車輪１２が別個に背負式動力噴霧機１００に取り付けられる従来技術に比べ車輪１２のがたつきが少なくなる。また、ハンドルユニット９の取付部１４，１４が、上側バンド取付軸部５に引っ掛けるツメ部１４ｃと、ツメ部１４ｃの上側バンド取付軸部５回りの回動を阻止する上側当接部１４a及び下側当接部１４ｂとを備えているため、ツメ部１４ｃを上側バンド取付軸部５に引っ掛ける簡単な取付作業により、ハンドルユニット９をがたつき少なく作業機本体部１に取り付けることができる。
【００２６】
また、本実施形態では、取付部１４にめねじ部１４ｄを設け、このめねじ部１４ｄにねじ込まれて終端から突出したボルト１７の先端によりツメ部１４ｃと軸部５との外れが防止されるため、ツメ部１４ｃを軸部５に引っ掛けた後に、取付部１４の外側からボルト１７をねじ込む簡単な作業により、取付部１４が作業機本体部１から外れるのを防止することができる。
【００２７】
また、本実施形態では、運搬装置８がハンドルユニット９及び台車ユニット１０とに分離されているため、各々の構造を単純化し、部品点数を削減することができる。
【００２８】
なお、本実施形態では背負式作業機を背負式動力噴霧機１００として説明したがこれに限られるものではなく、例えば背負式ブロワ等にも応用可能である。
【符号の説明】
【００２９】
１…作業機本体部、５…上側バンド取付軸部、８…運搬装置、９…ハンドルユニット、１０…台車ユニット、１１…台座、１２…車輪、１３ｂ…把持部、１４…取付部、１４a…上側当接部、１４ｂ…下側当接部、１４ｃ…ツメ部。
【図１】
0005139478.tif 000002
【図２】
0005139478.tif 000003
【図３】
0005139478.tif 000004
【図４】
0005139478.tif 000005
【図５】
0005139478.tif 000006
【図６】
0005139478.tif 000007
【図７】
0005139478.tif 000008